(57)【要約】【課題】内部収容域に収容された物品の詰まりを解消および予防でき、該物品を安定して排出できる容器を提案する。【解決手段】内部収容域３０と排出口部１７とを連通する流下路２９に、受皿部５１を有する送出部材３が回動自在に軸支され、該送出部材３の回動操作によって該内部収容域３０に収容されたカプセルを該排出口部１７から排出するものであって、受皿部５１を構成する外殻に物品動作凸部６１，６２が突成されており、前記回動操作により該物品動作凸部６１，６２がカプセルに接触することで該カプセルを動作させる。かかる構成によれば、物品動作凸部６１，６２と接触したカプセルが上下に比較的大きく動くことから、送出部材３の空回りを防止でき、カプセルを安定して排出できる。【選択図】図３
0003223049.tif 000002
【実用新案登録請求の範囲】
【請求項１】
球状容器型の物品を複数収容可能な内部収容域と、
前記内部収容域の下部に連通され、該内部収容域に収容された前記物品を流下させる流下路と、
前記流下路の下端に連通され、該流下路を流下した前記物品を外部に排出する排出口部と、
前記流下路に回動自在に軸支され、回動操作によって、前記内部収容域に収容された前記物品を前記排出口部へ送り出す送出部材と
を備え、主に複数の平面紙により組み立てられてなる容器であって、
前記送出部材は、
前記物品を入出可能な入出口部と該入出口部から受け入れた該物品を収める受入室部とを有する受皿部と、
前記受皿部に連結され、回動操作可能に外部露出されるハンドル部と
を備え、前記ハンドル部の回動操作によって、前記受皿部を、前記内部収容域に収容された物品を前記受入室部に受け入れる受入位置と、該物品を該受入室部から前記流下路の下流側へ排出する排出位置とに位置変換されるものであり、
前記受皿部は、
内側に前記受入室部を形成する外殻部に、該受皿部の直上に位置する前記物品と接触可能に突成され、前記回動操作により接触した該物品を動作させる物品動作凸部を備えてなるものであることを特徴とする容器。
【請求項２】
受皿部の物品動作凸部は、送出部材の回動によって該受皿部の外殻部が通る仮想最外回転円よりも外方に突出するように設けられたものであることを特徴とする請求項１に記載の容器。
【請求項３】
受皿部の物品動作凸部が、該受皿部の回動軸線方向に沿って設けられた板状紙片により構成されていることを特徴とする請求項１又は請求項２に記載の容器。
【請求項４】
受皿部は、
外殻部が、矩形状の底壁部と該底壁部の各側縁にそれぞれ連成された側壁部とにより構成されると共に、一対の側壁部に直交する回動軸線を中心として受入位置と排出位置とに回動操作されるものであって、
物品動作凸部を構成する板状紙片が、前記回動軸線と直交しない側壁部と底壁部との少なくとも一から外方に突出するように設けられたものであることを特徴とする請求項３に記載の容器。
【請求項５】
請求項１乃至請求項４のいずれか１項に記載の容器の内部に、球状容器型の物品が複数収容されており、
受皿部は、単一の物品のみが受容可能とされており、
送出部材を回動することにより、前記受皿部に受容された物品が１個ずつ排出口部に向かって落下して前記排出口部から排出される
ことを特徴とする物品排出装置。
【考案の詳細な説明】
【技術分野】
【０００１】
本考案は、球状容器型の物品（例えばカプセル）が複数収容され、送出部材が回動操作されることによって該物品を排出口部から排出させる容器等に関する。
【背景技術】
【０００２】
主に複数の平面紙により組み立てられる容器としては、例えば特許文献１に開示された構成が提案されている。この構成は、球状容器型の物品（いわゆるカプセル）を複数収容し、容器本体に軸支された送出部材が回動操作されることによって、物品（カプセル）を排出できるようにしたものである。ここで、送出部材は、物品（カプセル）を受け入れる受皿部と、回動操作されるハンドル部とを備えており、該ハンドル部の回動操作によって、物品（カプセル）が一旦受皿部で受け入れられ、その後、排出口部から外部に排出される。
【先行技術文献】
【特許文献】
【０００３】
【特許文献１】実用新案登録第３２２０６６３号公報
【考案の概要】
【考案が解決しようとする課題】
【０００４】
ところで、従来の容器では、ハンドル部を回しても、いわば「空回り」して物品（カプセル）が排出できないという不具合が生じることがあった。すなわち、送出部材の回動に伴い、送出部材上で物品（カプセル）が滑ってしまい、物品（カプセル）がわずかに動くだけで物品（カプセル）同士の相対位置が変化せず、これにより排出が促されない場合があった。
【０００５】
本考案は、送出部材と物品（例えばカプセル）が滑ってしまって空回りすることで物品が排出されないという不具合の発生を抑制できる容器あるいは物品排出装置を提案するものである。
【課題を解決するための手段】
【０００６】
本考案は、球状容器型の物品を複数収容可能な内部収容域と、前記内部収容域の下部に連通され、該内部収容域に収容された前記物品を流下させる流下路と、前記流下路の下端に連通され、該流下路を流下した前記物品を外部に排出する排出口部と、前記流下路に回動自在に軸支され、回動操作によって、前記内部収容域に収容された前記物品を前記排出口部へ送り出す送出部材とを備え、主に複数の平面紙により組み立てられてなる容器であって、前記送出部材は、前記物品を入出可能な入出口部と該入出口部から受け入れた該物品を収める受入室部とを有する受皿部と、前記受皿部に連結され、回動操作可能に外部露出されるハンドル部とを備え、前記ハンドル部の回動操作によって、前記受皿部を、前記内部収容域に収容された物品を前記受入室部に受け入れる受入位置と、該物品を該受入室部から前記流下路の下流側へ排出する排出位置とに位置変換されるものであり、前記受皿部は、内側に前記受入室部を形成する外殻部に、該受皿部の直上に位置する前記物品と接触可能に突成され、前記回動操作により接触した該物品を動作させる物品動作凸部を備えてなるものであることを特徴とする容器である。
【０００７】
かかる構成にあっては、送出部材の回動操作により、該送出部材の直上に位置する物品と物品動作凸部とが接触すると、該物品（例えばカプセル）が物品動作凸部を乗り上げて、上下に比較的大きく動く。この動作が、送出部材の直上で接触する複数の物品に順次生じ、これに伴って両者の上下位置関係に変化が生ずる。これにより、物品の排出が促されて結果的に送出部材の空回りを抑制できる。したがって、本考案の構成によれば、内部収容域に収容された多数の物品を、円滑に途切れなく安定して排出することができる。
【０００８】
また、かかる構成は、主に複数の平面紙により組み立てられるものであるから、組立前の複数の平面紙を、手軽にノベルティとして配布または販売することが可能である。例えば、組み立てに必要な複数の平面紙をまとめることにより、子供用の工作物として配布または販売できる。さらに、平面紙の状態や組み立てた容器の状態でのいずれでも、自由に絵を描くことができるため、前記子供用のものとして好適と言える。
【０００９】
前述した本考案にあって、受皿部の物品動作凸部は、送出部材の回動によって該受皿部の外殻部が通る仮想最外回転円よりも外方に突出するように設けられたものである構成が提案される。
ここで、仮想最外回転円は、外殻部の、受皿部の回動軸線から最も離れた部位が、送出部材の回動により通る仮想円となる。
【００１０】
かかる構成にあっては、送出部材が回動した際に、物品が送出部材上を単に滑ってしまうのではなく、上下に比較的大きく動かす動作を与えることができる。そのため、本構成によれば、送出部材の空回りを一層確実に抑制でき、物品を安定して排出することができる。
【００１１】
前述した本考案の容器にあって、受皿部の物品動作凸部が、該受皿部の回動軸線方向に沿って設けられた板状紙片により構成されているものが提案される。
【００１２】
かかる構成にあっては、物品動作凸部が回動方向に比較的撓み易いことから、物品動作部が物品と接触して撓んだときに生ずる反発力によって、該物品を上下に一層大きく動作させ得る。これにより、より一層、送出部材の空回りを抑制することができる。
【００１３】
加えて、物品動作凸部を撓み易くすることにより、送出部材が回動自在に配設される領域を可及的に小さくできるという利点がある。すなわち、物品動作凸部が、容器の内面（すなわち内壁面）と接触しても好適に撓むことで送出部材は引っかかることなく継続して回動可能であることから、容器の内面を可及的に該物品動作凸部に近接させた設計が可能となる。そのため、前記のように、送出部材の配設領域に無駄がなくなり、容器全体を小型化することができる。
【００１４】
前述した本考案の容器にあって、受皿部は、外殻部が、矩形状の底壁部と該底壁部の各側縁にそれぞれ連成された側壁部とにより構成されると共に、一対の側壁部に直交する回動軸線を中心として受入位置と排出位置とに回動操作されるものであって、物品動作凸部を構成する板状紙片が、前記回動軸線と直交しない側壁部と底壁部との少なくとも一から外方に突出するように設けられたものである構成が提案される。
【００１５】
かかる構成にあっては、受皿部が受入位置で安定して物品を受け入れて収めることができ且つ排出位置で該物品を安定して排出できるため、物品を排出するまでの一連の作動が、一層安定して実行され得る。勿論、送出部材の空回りも安定して防止することができる。
【００１６】
なお、上述の容器の内部に、球状容器型の物品が複数収容されており、受皿部は、単一の物品のみが受容可能とされており、送出部材を回動することにより、前記受皿部に受容された物品が１個ずつ排出口部に向かって落下して前記排出口部から排出されることを特徴とする物品排出装置は、それ自体がおもちゃとして機能もする。
【考案の効果】
【００１７】
本考案にかかる容器は、送出部材の回動操作により該送出部材の直上に位置する物品を上下に比較的大きく動作させることができるから、送出部材の空回りを抑制して物品を安定して排出できる。また、物品排出装置は、物品が安定して排出されるおもちゃとして機能する利点がある。
【図面の簡単な説明】
【００１８】
【図１】実施例にかかる紙製容器１の正面図である。
【図２】図１中のＭ−Ｍ線断面図である。
【図３】筐体１１の前面壁部１５と内部構造体１２の支持壁部２２とを省略して示す説明図である。
【図４】内部構造体１２の正面図である。
【図５】送出部材３の、（Ａ）正面図と、（Ｂ）平面図である。
【図６】送出部材３の、（Ａ）側面図と、（Ｂ）図５中のＮ−Ｎ線断面図である。
【図７】送出部材３の、（Ａ）正面側からの斜視図と、（Ｂ）背面側からの斜視図である。
【図８】（Ａ）送出部材３が受入位置にある状態と、（Ｂ）送出部材３が排出位置にある状態とを示す説明図である。
【図９】送出部材３の回動操作によりカプセルＸを動作させる態様を示す説明図である。
【図１０】図９から続く、送出部材３の回動操作によりカプセルＸを動作させる態様を示す説明図である。
【図１１】（Ａ）本実施例の送出部材３の回動によるカプセルＸの動作態様を拡大して示す説明図と、（Ｂ）従来の送出部材１０３の回動によるカプセルＸの動作態様を拡大して示す説明図である。
【図１２】（Ａ）送出部材３を組み立てるための平面紙８１と、（Ｂ）内部構造体１２を組み立てるための平面紙８２とを示す説明図である。
【考案を実施するための形態】
【００１９】
本考案の実施形態を、以下の実施例に従って説明する。尚、本考案は、以下の実施例に限定されることはなく、適宜設計変更が可能であり、物品排出装置型のおもちゃとしても用いることができる。
【００２０】
実施例の紙製容器（容器）１は、図１〜３に示すように、容器本体２と、該容器本体２の内部に回動自在に軸支された送出部材３とから構成される。そして、容器本体２は、直方体形状の筐体１１と、該筐体１１の内部に取り付けられる内部構造体１２とを備えている。ここで、送出部材３は、図１２（Ａ）に示す一枚の平面紙８１により組み立てられる。また、内部構造体１２は、図１２（Ｂ）に示す一枚の平面紙８２により組み立てられる。そして、図示しない平面紙により組み立てられた筐体１１の内部に、前記内部構造体１２と送出部材３とを装着することによって、本実施例の紙製容器１が得られる。尚、図１〜１１では、図１２に表した綴じ代、ツメ部、差込口などを省略している。
【００２１】
次に、筐体１１について詳述する。
筐体１１は、直方体の箱からなり、図１に示すように、前面壁部１５の上部に、透明なプラスチック製シートが部分的に装着された透窓部１６を備える。また、前面壁部１５の下部には、球状容器型のカプセルＸを排出するための排出口部１７が開口形成されている。さらに、前面壁部１５には、ハンドル口部１８が開口形成されており、このハンドル口部１８によって、前記送出部材３のハンドル部５２が前記透窓部１６の下方かつ排出口部１７の上方に配置される。
【００２２】
これに対し、筐体１１の内部には、前述した内部構造体１２が取り付けられる。内部構造体１２は、図２〜４に示すように、筐体１１の内部空域を前後に区画する仕切壁部２１と、仕切壁部２１の前方に所定間隔をおいて対向する支持壁部２２とを備えている。ここで、内部構造体１２が筐体１１内に装着された状態では、支持壁部２２は、ハンドル口部１８の直上部位から下端縁まで設けられることになる。そして、支持壁部２２は、筐体１１の前面壁部１５の内面に重なるように配置される。さらに、支持壁部２２におけるハンドル口部１８が臨む部位には、ハンドル口部１８と略同形状の前支持口部２４が開口形成されている。同様に、排出口部１７が臨む部位には、排出口部１７と略同形状の内側排出口部２６が開口形成されている。加えて、仕切壁部２１において前支持口部２４と対向する部位には、送出部材３を軸支する円形の後支持口部２５が開口形成されている。
【００２３】
また、内部構造体１２の下端部には、内側排出口部２６の下縁から後方へ昇り勾配で傾斜する第一排出板部３１が設けられている。そして、この第一排出板部３１の右側には、第一排出板部３１の右縁直上から右方へ上り勾配で傾斜する第二排出板部３２が設けられており、第二排出板部３２が前支持口部２４と後支持口部２５との下方に位置している。
【００２４】
さらに、内部構造体１２において、支持壁部２２の上縁には、左端部から右方に向かって下り勾配で傾斜する収容下板部３４が設けられている。そして、収容下板部３４の上方には、複数のカプセルＸを収容可能な内部収容域３０が形成されている。ここで、収容下板部３４は、前支持口部２４および後支持口部２５よりも左側に設けられており、前支持口部２４および後支持口部２５の直上に設けられていない。そして、収容下板部３４の右縁と内部構造体１２との右端との間（前支持口部２４と後支持口部２５との直上）には、内部収容域３０内のカプセルＸを流下させる流下口部３５が形成される。なお、この流下口部３５から下方に向かい、第二排出板部３２と第一排出板部３１とを介して排出口部１７（内側排出口部２６）に至る空域が、内部収容域３０に収容したカプセルＸを排出口部１７から外部へ排出するための流下路２９としている。また、内部収容域３０は、内部構造体１２の仕切壁部２１および収容下板部３４と、筐体１１の前面壁部１５とにより囲繞されて形成されており、筐体１１の上面壁部（図示せず）により閉鎖される。
【００２５】
次に、送出部材３について、詳述する。
送出部材３は、図５〜７に示すように、全体として歯車状の外観が特徴であり、矩形状の底壁部５５と、該底壁部５５の各側縁から連成された側壁部５６ａ〜５６ｄとからなる箱状の受皿部５１を備えている。そして、この受皿部５１にあっては、側壁部５６ａ〜５６ｄと底壁部５５とにより囲まれた内側に、前記カプセルＸを一個収めるための受入室部５８が形成されており、入出口部５９を介して受入室部５８にカプセルＸが入出可能となっている。また、一の側壁部５６ａには、側壁部５６ａから外方へ突出する直方体状のハンドル部５２が設けられており、側壁部５６ａと対向する側壁部５６ｂには、回動支持突部５３が設けられている。ここで、ハンドル部５２は、内部構造体１２の前支持口部２４と筐体１１のハンドル口部１８とに挿通可能であり、回動支持突部５３は、該内部構造体１２の後支持口部２５に挿通可能である。そして、ハンドル部５２が前支持口部２４（およびハンドル口部１８）に挿通されかつ回動支持突部５３が後支持口部２５に挿通されることにより、受皿部５１が、内部構造体１２の仕切壁部２１と支持壁部２２との間に回動自在に軸支される。
【００２６】
また、送出部材３には、物品動作凸部６１と物品動作凸部６２とが設けられている。さらに詳述すると、物品動作凸部６１は、ハンドル部５２と回動支持突部５３とを配設しない一の側壁部５６ｃから延成されて、底壁部５５よりも外方へ突出している。また、物品動作凸部６２は、底壁部５５から延成されて、側壁部５６ｃと対向する側壁部５６ｄよりも外方へ突出している。ここで、物品動作凸部６１は、側壁部５６ｃと同じ幅で延成された略長方形状の板状紙片により構成され、物品動作凸部６２は、底壁部５５と同じ幅で延成された板状紙片により構成されている。そして、これら物品動作凸部６１，６２は、後述する回動軸線Ｌ（図２参照）に沿って設けられ、かつ送出部材３の受皿部５１の仮想最外回転円Ｒよりも外方へ突出している（図８参照）。こうした物品動作凸部６１，６２は、回動方向に撓むことができるから、送出部材３の回動中に、容器本体２の右壁部の内側面や収容下板部３４に接触しても、引っかかることなく安定して回動させることが可能である。そのため、送出部材３を、容器本体２の右壁部の内側面や収容下板部３４に可及的に近づけて配置でき、全体を小型化することができる。
尚、前記仮想最外回転円Ｒは、受皿部５１の箱状を形成する外殻部の、回動軸線Ｌから最も離れた部位が、送出部材３の回動により通過する仮想円である。本実施例の受皿部５１では、その外殻部（底壁部５５と側壁部５６ａ〜５６ｄ）にあって、底壁部５５と側壁部５６ｃ，５６ｄとが交わる角部と、該側壁部５６ｃ，５６ｄの入出口部５９の口縁とが、回動軸線Ｌから最も離れた部位であり、これら部位が該送出部材３の回動により前記仮想最外回転円Ｒを通る。
【００２７】
また、前記側壁部５６ｃは、入出口部５９の口縁を構成する一側縁が、底壁部５５側へ湾曲に凹む凹状口縁部６０となっている。
【００２８】
こうした送出部材３は、前支持口部２４と後支持口部２５とで回動自在に軸支され、一対の側壁部５６ａ，５６ｂの略中心を通る回動軸線Ｌを中心として回動できる。そして、送出部材３は、図８（Ａ）に示すように、入出口部５９を上向きとした状態で前記流下口部３５と対向することにより、内部収容域３０内のカプセルＸを受け入れることができる受入位置となる。一方、図８（Ｂ）に示すように、入出口部５９を下向きとした状態で第二排出板部３２と対向することにより、カプセルＸを第二排出板部３２上へ流下できる排出位置となる。このように送出部材３は、受入位置と排出位置とに回動させることができる。
【００２９】
こうした紙製容器１の使用態様について説明する。
前記した内部収容域３０には、複数のカプセルＸが収容される（図９，１０参照）。そして、これらのカプセルＸは、収容下板部３４によって、流下口部３５へ順次案内される。かかる状態で、送出部材３のハンドル部５２が回動操作されて受入位置となると、図８（Ａ）に示すように、受入室部５８に一個のカプセルＸが収まる。ここで、側壁部５６ｃが凹状口縁部６０を有することから、カプセルＸが受け入れ易くなっている。
【００３０】
受入位置でカプセルＸを収めた状態で、送出部材３のハンドル部５２が回動操作されて排出位置となると、図８（Ｂ）に示すように、受入室部５８からカプセルＸが流下する。このカプセルＸは、第二排出板部３２上を転動し、さらに第一排出板部３１上を転動して、排出口部１７から外部に排出される。
このようにハンドル部５２を回動操作して、受入位置から排出位置へ位置変換させると、内部収容域３０に収容したカプセルＸが一個ずつ排出口部１７から排出される。
【００３１】
ここで、図９，１０に示すように、送出部材３の物品動作凸部６１，６２は、前述したように仮想最外回転円Ｒよりも突出する構成であるから（図８参照）、送出部材３の直上に位置するカプセルＸに順次接触すると、該カプセルＸが物品動作凸部６１，６２を乗り越えるように上下に比較的大きく動く。これにより、送出部材３の空回りを解消でき、カプセルＸが滑って排出できないという問題を解消できる。
ここで、従来のように、物品動作凸部を備えない送出部材１０３が採用された従来構成では、図１１（Ｂ）に示すように、カプセルＸが送出部材１０３上で滑ってしまい、カプセルＸの上下動が小さく（又は、ほとんど上下動させることができず）、カプセルＸの上下位置関係がほとんど変化しない。そのため、送出部材１０３が空回りしてしまい、カプセルＸを適正に排出できない不具合が生ずる。
【００３２】
さらに、空回りを適正に防止できることから、流下口部３５へ案内するための部材を内部収容域３０の内部に配設することを要しない。例えば、前述した従来構成では、内部収容域の左右両側にそれぞれ傾斜面部を配設することにより、送出部材（流下口部）へカプセルを一個ずつ誘導する必要があったため、全体が大型化する傾向があった。
【００３３】
さらにまた、送出部材３の物品動作凸部６１，６２は、前述したように回動方向に撓むことができるから、カプセルＸとの接触により撓むことで生ずる反発力によって、該カプセルＸの前記動作（比較的大きな上下動）を安定して生じさせ得る。
【００３４】
前述した紙製容器１は、図１２に示す平面紙８１，８２等を適宜折り曲げ加工することによって組み立てることができる。再度述べると、図１２（Ａ）の平面紙８１を折り曲げ加工することにより、前記した送出部材３を組み立てできる一方、図１２（Ｂ）の平面紙８２を折り曲げ加工することにより、前記した内部構造体１２を組み立てできる。そして、内部構造体１２と送出部材３とを、図示しない平面紙などにより組み立てた筐体１１の内部に装着することによって、実施例の紙製容器１を得る。
【００３５】
紙製容器１は、内部収容域３０に収容したカプセルＸを一個ずつ順次取り出すことのできるものであり、子供用の遊び道具として提供することができる。また、興趣性の高い販促品、ノベルティ、または景品プレゼント用のツールとして用いることもできる。さらに、前述したように平面紙８１〜８４から比較的容易に組み立てることができるため、例えば、子供用の工作物として配布または販売することもできる。また、紙製であることから、安価に製造できると共に、カプセルＸを傷つけることがなく、使用者にケガを負わせるような心配もない。尚、カプセルＸには、内部に当りくじ、おみくじ、お菓子、又はおもちゃ等を収容可能である。
【００３６】
前述した実施例にあって、カプセルＸが、本考案にかかる物品に相当する。また、送出部材３を構成する底壁部５５と側壁部５６ａ〜５６ｄとが、本考案にかかる外殻に相当する。そして、一対の側壁部５６ｃ，５６ｄが、本考案にかかる回動軸線と直交しない一対の側壁部である。
【００３７】
本考案は、前述した実施例に限定されるものではなく、前述の実施例以外であっても本考案の趣旨の範囲内で適宜変更した構成を実施可能である。
例えば、実施例にあっては、筐体１１が略直方形状であるが、これに限らず、例えば、横断面視六角形状などの多角形筒状の筐体であっても良い。
【００３８】
前述した実施例にあっては、物品動作凸部６１，６２が底壁部５５と側壁部５６ｃとからそれぞれ延成された構成としたが、これに限らず、例えば、底壁部５５と側壁部５６ｃ，５６ｄとの各中央部分から突成された構成としても良い。
また、実施例では、物品動作凸部が略長方形状の板状紙片により構成されたものであるが、様々な形状の板状紙片により構成されたものとすることができる。例えば、半円形状や三角形状の板状紙片により構成された物品動作凸部としても良い。
また、実施例では、二個の物品動作凸部を備えた構成であるが、一個や三個の物品動作凸部を備えた構成とする等のように物品動作凸部の配設個数は適宜設定変更可能である。
また、実施例では、板状紙片からなる物品動作凸部を備えた構成であるが、これに限らず、様々な形態の物品動作凸部を設けた構成としても良い。例えば、略直方体形状の物品動作凸部を設けることも可能である。
【００３９】
前述した実施例にあっては、送出部材３が矩形状の底壁部５５を有する箱状の受皿部５１から構成されたものであるが、受皿部の形態は適宜変更して設定可能である。例えば、円形状の底壁部を有する有底円筒状の受皿部を備えた構成、六角形状の底壁部を有する六角筒状の受皿部を備えた構成、半球状の受皿部を備えた構成などとしても良い。
【００４０】
また、実施例にあって、内部構造体１２を構成する第一排出板部３１、第二排出板部３２、および収容下板部３４は、実施例の形状に限定されず、適宜変更して設定できる。例えば、第一排出板部と第二排出板部とを一体的な構成としても良い。また、筐体１１にあって、透窓部は必須なものではないが、内部収容域３０を外部から視認可能とすることで、該内部収容域３０に収容したカプセルＸの入手欲求を高めて、紙製容器１の使用を促す効果が期待できる。また、筐体１１の外表面には、オリジナルな図柄や所定のキャラクタ図柄などを印刷することもできる。
【００４１】
また、前述した実施例にあって、内部収容域の左右両側に、遊技球を流下口部に誘導する傾斜面部をそれぞれ配設した構成とすることも可能である。
【符号の説明】
【００４２】
１  紙製容器（容器）
２  容器本体
３  送出部材
１７  排出口部
２９  流下路
３０  内部収容域
５１  受皿部
５５  底壁部（外殻）
５６ａ〜５６ｄ  側壁部（外殻）
５８  受入室部
５９  入出口部
６１，６２  物品動作凸部
Ｌ  回動軸線
Ｒ  仮想最外回転円
Ｘ  カプセル（物品）
【図１】
0003223049.tif 000003
【図２】
0003223049.tif 000004
【図３】
0003223049.tif 000005
【図４】
0003223049.tif 000006
【図５】
0003223049.tif 000007
【図６】
0003223049.tif 000008
【図７】
0003223049.tif 000009
【図８】
0003223049.tif 000010
【図９】
0003223049.tif 000011
【図１０】
0003223049.tif 000012
【図１１】
0003223049.tif 000013
【図１２】
0003223049.tif 000014